(57)【特許請求の範囲】
【請求項１】
貯蔵器を含んだハウジングであって、貯蔵器が化粧品流体を貯蔵しているものと、
経路に沿って貯蔵器中に挿入可能なアプリケーターアッセンブリーであって、アプリケーターアッセンブリーが化粧品流体を搬送するスティックとアプリケーターを含んでいるものと、
中立位置にある時に貯蔵器を取り囲むシールであって、シールは、シールを通る開口部を形成するようにアプリケーターアッセンブリーによってたわみ可能な少なくとも１つのフラップを含んでおり、シールは、アプリケーターアッセンブリーがシールと係合していない時に中立位置に戻るように構成されているものと、を含み、
シールは、ハウジング内に含まれた上方シールと下方シールの一方であり、
副室が、上方および下方シールの間に規定されている、
流体貯蔵器アッセンブリー。
【請求項２】
上方シールと下方シールの間の距離が、アプリケーターの軸方向長さより大きい、請求項１の流体貯蔵器アッセンブリー。
【請求項３】
アプリケーターはブラシである、請求項１の流体貯蔵器アッセンブリー。
【請求項４】
少なくとも１つのフラップが複数のフラップを含み、シールが中立位置にある時に経路に沿ったポイントにおいてフラップがお互いと接触する、請求項１の流体貯蔵器アッセンブリー。
【請求項５】
シールが中立位置にある時に経路に沿ったポイントにおいてフラップがお互いと重複する、請求項４の流体貯蔵器アッセンブリー。
【請求項６】
フラップは、スティックがシールを通過する時にスティックを収容する切り欠きを含む、請求項５の流体貯蔵器アッセンブリー。
【請求項７】
アプリケーターは、貯蔵器中への挿入に際して、上方および下方シールの両方を通過する、請求項１の流体貯蔵器アッセンブリー。
【請求項８】
アプリケーターは、貯蔵器から取り外される際に、上方および下方シールの両方を通過する、請求項１の流体貯蔵器アッセンブリー。
【請求項９】
上方および下方シールの少なくとも１つが複数のフラップを含み、貯蔵器を取り囲むようにシールが中立位置にある時に経路に沿ったポイントにおいてフラップがお互いと接触する、請求項１の流体貯蔵器アッセンブリー。
【請求項１０】
上方および下方シールの各々が複数のフラップを含み、貯蔵器を取り囲むようにシールが中立位置にある時に経路に沿ったポイントにおいてフラップがお互いと接触する、請求項１の流体貯蔵器アッセンブリー。
【請求項１１】
シールがたわみ可能であり、シールのたわみは、シールによってアプリケーターから拭き取られた流体の量を制御するように選択的にブロック可能である、請求項１の流体貯蔵器アッセンブリー。
【請求項１２】
シールの下に配置されたプリワイパーを更に含む、請求項１の流体貯蔵器アッセンブリー。
【請求項１３】
（ａ）請求項１記載の流体貯蔵器アッセンブリーを提供するステップと、
（ｂ）シールを通る開口部を形成するように、経路に沿ってアプリケーターアッセンブリーを動かすことによってアプリケーターアッセンブリーをシールと係合するステップであって、アプリケーターアッセンブリーとシールの間の係合が少なくとも１つのフラップを全体的に下向きにたわませるステップと、
（ｃ）アプリケーターアッセンブリーを開口部を通して通過させるステップと、
を含む方法。
【請求項１４】
アプリケーターアッセンブリーとシールの間の係合は、少なくとも１つのフラップを全体的に経路から離れるようにたわませる、請求項１３の方法。
【発明の詳細な説明】
【技術分野】
【０００１】
［関連出願へのクロスリファレンス］この出願は、２０１１年２月２２日に出願された米国仮出願番号61/445,087への優先権を主張する。
【０００２】
この開示は、流体貯蔵器アッセンブリーに関する。
【背景技術】
【０００３】
ある種の流体貯蔵器アッセンブリー、特に化粧品ボトルは、マスカラおよびその他の同様の流体を収容し、アプリケーターブラシを含む。それらのボトルは、ボトル内に貯蔵された流体を空気から保護するように配置されたシールまたはワイパーを含んでいても良く、それにより外部の空気が流体を乾燥させるのを防ぐ。いくつかのボトルは更に、ブラシによってボトルから搬送される流体の量を制御するようにシールを調節することをユーザに許容する。
【発明の概要】
【０００４】
開示された流体貯蔵器アッセンブリーは、化粧品ボトルアッセンブリーであっても良い。ボトルアッセンブリーは、ブラシを有するアプリケーターを含んでいても良い。貯蔵器から流体を取り出すために、ブラシが２つの間隔を空けられたシールの間の副室を通過する。追加の特徴が、ブラシが貯蔵器から出るにつれてブラシによって搬送される流体の量を制御するように、シールの少なくとも１つによって行われる拭き取りのレベルの選択的調節を許容する。
【０００５】
開示された流体貯蔵器アッセンブリーはよって、貯蔵器中の流体が乾燥することを依然として実質的に防止し（即ち、それにより流体の元々の製造工場粘度レベルを実質的に維持し）ながら、調節可能な流体拭き取りを提供し得る。
【０００６】
詳細な記載に付随する図面は、以下のように簡単に記載されることができる。
【図面の簡単な説明】
【０００７】
【図１】図１は、別の開示された流体貯蔵器アッセンブリーの断面図である。
【図２Ａ】図２Ａは、非ブロック位置にある先細りセクションを示し、中立位置にある下方シールを示す、図１の流体貯蔵器アッセンブリーの断面図である。
【図２Ｂ】図２Ｂは、ブラシが下方シールを通して上向きに通過しており、完全に非ブロック状態にある下方シールを示す、図１の流体貯蔵器アッセンブリーの断面図である。
【図３Ａ】図３Ａは、ブラシが下方シールの下に配置されており、ブロック位置にある先細りセクションを示す、図１の流体貯蔵器アッセンブリーの断面図である。
【図３Ｂ】図３Ｂは、ブラシが下方シールを通して上向きに通過しており、完全にブロック状態にある下方シールを示す、図１の流体貯蔵器アッセンブリーの断面図である。
【図４】図４は、図１の流体貯蔵器アッセンブリー中に存在するシールによって経験されるたわみの代表例である。
【図５Ａ】図５Ａは、図１の流体貯蔵器アッセンブリー中に含まれ得るシールの上面図である。
【図５Ｂ】図５Ｂは、下向き位置における図５Ａのシールの側面図である。
【図５Ｃ】図５Ｃは、下向き位置における図５Ａのシールの上面図である。
【図６】図６は、図１の流体貯蔵器アッセンブリー中に含まれ得る別のシールの上面図である。
【図７】図７は、先細りセクションの並置された眺めを含んだ、図１の流体貯蔵器アッセンブリー中に含まれ得る下方シールの底面図である。
【図８】図８は、別の開示された流体貯蔵器アッセンブリーの代表例である。
【図９】図９は、副室を含みブロック特徴を除外した、開示された流体貯蔵器アッセンブリーの別の実施形態の代表例である。
【図１０】図１０は、単一のシールを含んだ、流体貯蔵器アッセンブリーのもっと別の実施形態の代表例である。
【発明を実施するための形態】
【０００８】
図１は、例示的な開示されたボトルアッセンブリー１０、または流体貯蔵器アッセンブリーの断面図である。ボトルアッセンブリー１０は、全体的に円筒形であり、その中心軸に沿って断面化して示されており、それはこの場合には、経路Ｐと一致する。勿論、ボトルアッセンブリー１０は、円筒形ボトルにだけ限定される必要は無い。示されたボトルアッセンブリー１０は、アプリケーターアッセンブリー２０と、上方ハウジングセクション３０と、下方ハウジングセクション４０を含む。
【０００９】
アプリケーターアッセンブリー２０は、そこから下向きに伸長しているスティック２４またはステムをもったキャップ２２を含む。キャップ２２と反対の端部において、スティック２４は、ブラシ２６またはその他の一般的なアプリケーターを含む。ブラシ２６は、ボトルアッセンブリー１０から、マスカラであっても良い流体ＦＬを搬送し、流体ＦＬを例えばユーザの睫毛上に施すように適応された毛を含んでいても良い。全体的に示されているように、アプリケーターアッセンブリー２０は全体的に、経路Ｐに沿って可動である。キャップ２２はまた、上方ハウジングセクション３０のねじ山の第１のセット３２と係合するねじ山２８を含んでいても良く、それによりボトルアッセンブリー１０の頂部を本質的に閉じて密封することをユーザに許容する。注目すべきことに、キャップ２２は、上方ハウジングセクション３０上にねじ止めされる必要は無く、キャップ２２は、別のやり方で上方ハウジングセクション３０に接続されることができる。
【００１０】
上方ハウジングセクション３０は、下方ハウジングセクション４０のねじ山４４と係合可能なねじ山の第２のセット３４を介して、時計回りＣＬＷおよび反時計回りＣＣＷの両方で下方ハウジングセクション４０に対して回転可能である。タブまたはその他の特徴が、それによりユーザが上方ハウジングセクション３０を回転することができる容易さを増加するために設けられていても良い。上方ハウジングセクション３０は更に、経路Ｐの周りに上方シール５２（又は上方膜５２）を支持している内向きに突出したフランジ３５を含む。上方ハウジングセクション３０の下方部分は、ここでは円錐台形状の、先細りセクション３８を含み、それは下方シール５４（または下方膜５４）のたわみをブロックし得る。先細りセクション３８は、下方シール５４に近接して、内向きに突出したフランジ３５の下に設けられている。以下で詳細に説明されるように、下方ハウジングセクション４０に対する上方ハウジングセクション３０の回転は、下方シール５４に対して経路Ｐに沿って先細りセクション３８を動かす。これは、先細りセクション３８が下方シール５４のたわみをブロックするように働く程度を決定する。先細りセクション３８が先細りにされていることが好ましくても良い一方で、先細りセクション３８が代替的に先細りにされていなくても良く、代わりにショルダー付き内径を含んでいても良い。
【００１１】
下方ハウジングセクション４０は、流体ＦＬを保持する貯蔵器４３がその中に規定されている、本体部分４２によって全体的に規定される。貯蔵器４３はここでは、本体部分４２と下方シール５４の両方によって制約されているように示されている。示されたように、本体部分４２は、下方サポート構造４８によって経路Ｐの周りに下方シール５４を支持する内向きに突出したフランジ４６を含む。貯蔵器４３についての適切なサイズは、適切に選択されても良い。例えば、比較的小さな貯蔵器４３は、貯蔵器４３内の空気の量を減少させると共に流体ＦＬをブラシ２６の近くに集中させるであろう。このやり方で流体ＦＬを集中させることにより、流体ＦＬは、貯蔵器４３内に拡散することを実質的に防止され、よって更なる蒸発および乾燥が避けられ得るであろう。
【００１２】
副室５０は、上方シール５２と下方シール５４の間に規定される（例えば、上方および下方シール５２、５４の間の空気の「スペース」または「バッファー」）。一例では、経路Ｐに沿って移動している時に、ブラシ２６は一度に上方および下方シール５２、５４の一方だけを通過する。つまり、もしブラシ２６が貯蔵器４３中に配置され、外向きに取り出されれば（または取り外されれば）、ブラシ２６は上方シール５２と接触する前に下方シール５４を完全に通過するであろう。同様に、ブラシ２６をボトルアッセンブリー１０中に挿入する時に、下方シール５４は、ブラシが上方シール５２を貫通する（または最初に突破するかまたは接触する）間は閉じたままであろう。このやり方で、ブラシ２６は、上方および下方シール５２、５４と副室５０中の空気のバッファーのおかげで望まれない空気が流体貯蔵器４３に入ることを実質的に防止するように、シール５２、５４を別々に通過しても良い。好ましくは、この機能性を完全に提供するために（例えば、十分な副室５０を作り出すために）、上方および下方シール５２、５４の間に十分な間隔があるべきである。但し、シール５２、５４は、副室５０を通過する時にブラシ２６がシール５２、５４と同時に接触するように間隔を空けられていても良い。更に、以下で詳細に説明されるように、シール５２、５４は、空気が貯蔵器４３に入ることを実質的に防止されるように、スティック２４およびブラシ２６の周りにきつく巻き付くように構成されている。貯蔵器４３内の空気が貯蔵器から出ることを防止し、内部および外部の空気の交換を妨げることも重要であっても良い。飽和されていても良いこの内部の空気の損失は、それが流体ＦＬの乾燥に結果としてなる水分内容物の損失に繋がるであろうことから望ましくないであろう。
【００１３】
ここで図２Ａ−３Ｂを参照して、ブラシ２６の調節可能な拭き取りを許容するブロック特徴が記載される。図２Ａは、下方シール５４が先細りセクション３８に係合することを下方シール５４のたわみが引き起こさない、非ブロック位置（または第１の位置）にある先細りセクション３８を示す。示されたように、ブラシ２６が取り外され、下方シール５４が中立または弛緩した位置にある。
【００１４】
図２Ｂは、下方シール５４を通過しているブラシ２６を示し、そこでは下方シール５４は完全に非ブロック状態にある。つまり、先細りセクション３８が非ブロック位置にあるので、下方シール５４は、先細りセクション３８との係合にはない、またはそれとの実質的な係合にはない。この非ブロック状態では、ブラシ２６の取り出しによって下方シール５４に加えられた力によって指図される通りに、下方シール５４は、経路Ｐから離れるように（例えば、全体的に放射状に外向きの方向Ｏに）完全にたわむことが許容される。下方シール５４がこのやり方で経路Ｐから離れるようにたわむことができるので、下方シール５４は、ブラシ２６から比較的少量の流体ＦＬを拭き取る。
【００１５】
図３Ａには、先細りセクション３８がブロック位置（または第２の位置）で示されており、そこでは先細りセクション３８は、ボトルから出るようにブラシ２６が経路Ｐに沿って引っ張られるにつれて、下方シール５４のたわみをブロックする。ブロック位置では、先細りセクション３８は、例えば時計回り方向ＣＬＷへの上方ハウジングセクション３０の回転によって経路Ｐに沿って下げられる。つまり、先細りセクション３８は、先細りセクション３８が非ブロック位置（または第１の位置）にある時よりも下方シール５４の近くに配置される。
【００１６】
図３Ｂには、先細りセクション３８がブロック位置にあって、ブラシ２６が下方シール５４を通過するのが示されている。下方シール５４が完全にブロックされた状態にあるのが示されており、そこでは先細りセクション３８は、経路Ｐから離れるような放射状に外向きの方向Ｏでの下方シール５４の動きを制約する。特定には、ブラシ２６の取り出しは、下方シール５４が放射状に外向きの方向Ｏにおいて経路Ｐから離れるように鈍くたわむことを引き起こすが、下方シール５４のたわみは先細りセクション３８によって制限される。つまり、下方シール５４は、ブラシ２６のサイズに比較的近い直径である内側表面３９の直径を超えて開くことを防止される。内側表面３９の直径はその製造時に設定されるが、下方シール５４によって行われるべき拭き取りの望ましい量に依存して内側表面３９の直径を決定しても良い（例えば、内側表面３９の直径がブラシ２６のサイズにより近い時には、下方シール５４によって行われる拭き取りの量が増加する）。特に、先細りセクション３８の内側表面３９は、ブラシ２６の取り出しによって引き起こされたたわみに抗して経路Ｐに向けて放射状に内向きの方向Ｉに下方シール５４を促す。例えば、先細りセクション３８が図２Ａ−２Ｂの非ブロック位置にある時と比べて、比較的多量の流体ＦＬがよって、下方シール５４によってブラシ２６から拭き取られる。このようにして、ユーザは、単に上方ハウジングセクション３０を回転することによって、取り出し中にブラシ２６から拭き取られるべき流体ＦＬの量を選択的に調節しても良い（例えば、下方シール５４によって行われる拭き取りのレベルが調節されても良い）。
【００１７】
注目すべきことに、上方シール５２は下方シール５４と同じやり方でブロックはされないので、下方シール５４によって拭き取られた後でブラシ上に残っている流体ＦＬの量は、上方シール５２によって行われるブラシ２６のいかなる拭き取りによっても実質的に変えられないままである。上方シール５２はブラシの最小の拭き取りを引き起こしても良いが、この拭き取りは流体ＦＬをブラシ２６の長さに沿って均等に分配する傾向があり、よって例えばマスカラで典型的であるような、流体ＦＬの凝集を回避する。下方シール５４をブロックする能力と共に先細りセクション３８を提供することによって、ユーザは、外部の空気が貯蔵器４３に入ることを依然として防止しながら、ブラシ２６によってボトルアッセンブリー１０から搬送されるべき流体ＦＬの望ましい量を正確に選択することを許容される。
【００１８】
その中で上方シールがブロックされて（下方シール５４がブロックされるやり方と同様に）、下方シールがブロックされない（上方シール５２がブロックされないやり方と同様に）ような副室を設けることが可能であることに注意すべきである。そのような配置は、この開示の範囲内である。但し、下方シール５４によって取り除かれた流体ＦＬは流体貯蔵器４３に留まる傾向があろう一方で、上方シール５２での流体ＦＬの実質的な拭き取りは副室５０内の流体ＦＬの望まれない蓄積を引き起こす傾向があろうことから、下方シール５４で拭き取りを行うことが好まれても良い。
【００１９】
更に、下方シール５４の下、上方シール５２の上、またはその両方に、プリワイパーＰＷが配置されても良い。プリワイパーＰＷは、アプリケーター２６と同様の直径の単純な開口部／開口を有するボトルアッセンブリー１０中に組み込まれたプラスチック挿入体であっても良く、経路Ｐの周りに配置されることができる。（図１０に概略的に描かれているように）プリワイパーＰＷが下方シール５４の下に配置される例では、プリワイパーＰＷは、下方シール５４によって行われるべき拭き取りの量を本質的に削減するように、また流体ＦＬが副室５０中に蓄積することの潜在的可能性を削減するように、アプリケーター２６から余分な流体ＦＬを取り除くであろう。図１０の例では、プリワイパーＰＷは、拭き取り効果を増加するように、また余分な流体がプリワイパーの上で捕まえられるかまたは捕捉されること無しに貯蔵器中に本質的に排出されて戻されることを許容するように、およそ４５度で下向きに角度を付けられている。再度、図１０のプリワイパーは一例の描写であり、プリワイパーは望まれる通りに開示されたボトルアッセンブリー１０中に組み込まれることができる、ということが理解されるべきである。
【００２０】
図２Ａ−３Ｂは先細りセクション３８のブロックおよび非ブロック位置を表しているが、ブラシ２６によって搬送される流体ＦＬの拭き取りの可変なレベルを提供する、中間の位置が更に含まれていても良い。例えば、示されたブロックおよび非ブロック位置の間の１つ以上の中間ブロック位置に先細りセクション３８を動かすように、上方ハウジングセクション３０が回転されても良い。それらの中間ブロック位置は、下方シール５４が完全に非ブロック状態にある時（例えば、図２Ｂ）よりも大きく、下方シール５４が完全にブロック状態にある時（例えば、図３Ｂ）よりも小さい、拭き取りのレベルを提供しても良い。この意味で、示されたブロックおよび非ブロック状態は、下方シール５４によって行われるべき拭き取りの最高および最低レベルをそれぞれ表わしていても良い。更に、上方ハウジングセクション３０と下方ハウジングセクション４０は、ユーザが拭き取りの望ましいレベルを選択することができるように、適当な、印を含んでいても良い。ねじ山３４、４４のピッチと先細りセクション３８の形状が、ハウジングセクション３０の回転と下方シール５４によってブラシ２６から拭き取られた流体ＦＬの量の間の関係に影響を与えても良い。理解されるであろうように、先細りセクション３８が下方シール５４のより近くに（軸方向に）動くにつれて、下方シール５４によって行われる拭き取りの量が増加する。
【００２１】
更には、図には示されていないが、先細りセクション３８は、調節可能かまたは拡張可能な、開口を含むことができる。この場合には、下方シール５４のブロックの可変なレベルを提供するために調節可能な開口の直径が変化し得るように、先細りセクション３８が下方シール５４に対して軸方向に固定され、先細りセクション３８の端部が調節可能な開口を含むであろう。調節可能な開口は、先細りセクション３８全体の軸方向の動きを要求すること無しに、ユーザによって選択的に調節可能であっても良い。
【００２２】
ここで図４を見ると、ブラシ２６と接触している時にシール５２、５４によって経験され得る異なるたわみが表わされている。例えば、シール５２、５４は、ブラシ２６が経路Ｐに沿って貯蔵器４３から取り出される時に、示された上向き位置まで全体的にたわまされるであろう（例えば、図２Ｂおよび３Ｂに示されたような、下方シール５４）。ブラシ２６もスティック２４もシール５２、５４と係合していない時には、シール５２、５４は、シールの弾力性の下に中立かまたは弛緩した位置まで全体的に戻る（例えば、図２Ａに示されたような、下方シール５４）。注目すべきことに、シールは中立位置において全体的に平坦に示されているが、シールは中立位置にある時に全体的に上向きに撓うことができる。シール５２、５４は、シリコーンゴムのようなあらゆる数の弾力性材料であっても良く、シール５２、５４はよって、中立位置に自然にバイアスされていても良い（即ち、シール５２、５４が記憶を有する）。勿論、シール５２、５４によって行われる拭き取りの量は、シール５２、５４のために選択された材料の柔軟性（およびその他の性質）に依存する。更に、例えばブラシ２６を貯蔵器４３中に挿入する時に、シール５２、５４は示された下向き位置まで全体的にたわまされても良い。勿論、「上向き」および「下向き」という用語は、ボトルの通常の、または直立した配置に対してである。
【００２３】
図５Ａ−６は、ボトルアッセンブリー１０においてシール５２、５４として実装されることができる、２つの異なるタイプのシールまたは膜６０、１６０の代表例である。示されたように、各シール６０、１６０は円周状のシールであり、再度、各シール６０、１６０は、弾力性材料で作られていても良い。
【００２４】
図５Ａでは、シール６０は、４つのフラップ６２、６４、６６、６８を含む。フラップ６２、６４、６６、６８は、シール６０の閾値を越えた望まれない空気の侵入を更に防止するように、またそれにより流体貯蔵器ＦＬを取り囲むように、（例えば、経路Ｐとして示された）中心点においてお互いと重複する。好ましくは、４つの重複するフラップ６２、６４、６６、６８の全てが、フラップが例えば円筒状のスティック２４とブラシ２６の周りをより良く密封することができるように、四半円を近似する切り欠きＣを含む。例えばスティック２４またはブラシ２６によってたわまされた時に、フラップ６２、６４、６６、６８は、図５Ｂ−５Ｃに全体的に示されているように揃う。つまり、フラップ６２、６４、６６、６８は、（例えば、シール６０が下向き位置までたわまされた時の断面側面図である図５Ｂに見られるように）円錐形状を全体的に形成し、切り欠きＣは、説明されたようにスティック２４またはブラシ２６を収容するために、（例えば、シール６０が下向き位置までたわまされた時の上面図である図５Ｃに見られるように）経路Ｐの周りの全体的に円形の開口部を形成する。
【００２５】
図は４つのフラップを示しているが、あらゆる数のフラップが開示されたシール中に組み込まれても良いことが理解されるべきである。更に、この開示の目的で、フラップという用語は、スリットおよび／またはアプリケーターが通過する時に外向きにたわむことをシールの一部に許容し得るあらゆる開口を含んだ、シール中のあらゆる開口部を含む。一例では、流体貯蔵器は、２つのシールのスリットが揃わないように、４つのフラップをもった第１のシールと、第１のシールの直ぐ上または下に配置されるが約４５°回転された第２の４フラップシールを含んでいても良い。この同居タイプの配置は、増加された拭き取りを許容し得て、貯蔵器中への望まれない空気の侵入を更に防止することができる。
【００２６】
図６に示された別のシール１６０は、図５Ａ−５Ｃからのシール６０と同様であるが、そのフラップ１６２、１６４、１６６および１６８が重複せず、それらは切り欠きＣを含んでいない。フラップ１６２、１６４、１６６および１６８は、中立位置においてお互いと接触するが、図６に全体的に示されたように、シール１６０を通した空気の通路を実質的に防止する。
【００２７】
図７は、下方シール５４の底面図であり、下方シール５４と先細りセクション３８の間の関係の代表例である。スティック２４またはブラシ２６が通過するにつれてたわみをブロックするために先細りセクション３８が下方シール５４のフラップと交わるように、先細りセクション３８の内側表面３９の内径は、好ましくは、下方シール５４の直径よりも小さい。先細りセクション３８によって引き起こされ得るあらゆる拭き取りを回避すべく、先細りセクション３８の内側表面３９の直径は、好ましくは、ブラシ２６のそれよりも大きい。
【００２８】
図８は、別の開示されたボトルアッセンブリー１１０を示す。ボトルアッセンブリー１１０は、ボトルアッセンブリー１０と実質的に同様である。そうでないと記載され示されていない範囲で、ボトルアッセンブリー１１０は、「１」を前に付けた対応する参照暗号を有する、図１のボトルアッセンブリー１０に示されたものに対応する部分を含む。注目すべきことに、ボトルアッセンブリー１１０では、シール１５２、１５４は、それぞれ上方ハウジングセクション１３０および下方ハウジングセクション１４０中に一体的に形成され得るサポート１７２、１７４によって支持されても良い。このやり方で、内向きに突出したフランジ３５、４６の必要が排除され得る。
【００２９】
上記のブロック特徴は有用であり得るが、例えば図１の実施形態によって提供された増加された拭き取り制御は、全ての応用において必要ではなくても良い。例えば、図９に表わされているように、ボトルアッセンブリー１１０は、図８の上方ハウジングセクション１３０と先細りセクション１３８を除外する一方で、上方および下方シール１５２、１５４の間に規定された副室１５０を依然として含んでいることができる。更なる変形では、副室１５０は必要ではなくても良く、図１０に表わされているように、単一のシールで十分であっても良い。示されたように、単一のシールは下方シール１５４であるが、単一のシールは、上方シール１５２を含んだあらゆる単一のシールであることができる。図９−１０の実施形態は、上記の通り、１つ以上のプリワイパーを含むことができ、シール６０、１６０のどちらかを更に組み込むことができる。注目すべきことに、図９−１０は図８に対して描かれているが、これらの図は、この開示全体中に、特に図１の実施形態中に、組み込まれることができる構造的変形の代表例である。
【００３０】
異なる例は描写中に示された特定のコンポーネンツを有するが、この発明の実施形態は、それらの特定の組み合わせには限定されない。例の一つからのコンポーネンツまたは特徴のいくつかを、例の別の一つからの特徴またはコンポーネンツとの組み合わせで使用することが可能である。
【００３１】
当業者は上記の実施形態が例示的であり非限定的であることを理解するであろう。つまり、この開示の変形例は、請求項の範囲内に入るであろう。従って、以下の請求項が、それらの真の範囲と内容を決定するために研究されるべきである。
【図１】
0006038818.tif 000002
【図２Ａ】
0006038818.tif 000003
【図２Ｂ】
0006038818.tif 000004
【図３Ａ】
0006038818.tif 000005
【図３Ｂ】
0006038818.tif 000006
【図４】
0006038818.tif 000007
【図５Ａ】
0006038818.tif 000008
【図５Ｂ】
0006038818.tif 000009
【図５Ｃ】
0006038818.tif 000010
【図６】
0006038818.tif 000011
【図７】
0006038818.tif 000012
【図８】
0006038818.tif 000013
【図９】
0006038818.tif 000014
【図１０】
0006038818.tif 000015